(57)【特許請求の範囲】
【請求項１】
折り曲げ可能な包装材料、すなわち紙から作られる包装部材(１２)を有するパックを製造する装置であって、包装部材(１２)のウエブ(２４)の長手方向両端に沿って、パックとして形成される接続ストリップ(１９)と境界側の側部壁(１６)とから構成される、互いに重なり合い、接着された閉鎖タブを備えており、
包装機内において、包装部材(１２)のブランクが包装材料の連続ウエブ(２４)から切断された後、各折り曲げユニットによって、パックの内容物の周囲に折り曲げられることが可能であり、
包装機内に、前記ウエブ(２４)が、移送され、パックとして加工される移送経路に沿って、接着剤ステーション(４０)の接着ユニット(４１)が設けられ、ウエブ(２４)は、前記接着ユニット(４１)を通過して、ホットメルト型接着剤がウエブ(２４)に塗布されるとともに、前記接着剤ステーションの下流側に、前記接着材を活性化する加熱部材(６１，６２)が設けられる、下記の(ａ)〜(ｆ)を特徴とする装置。
(ａ) ホットメルト型接着剤は、接着ステーション(４０)の接着ユニット(４１)において、前記折り曲げタブと閉鎖用タブの接着サイトに対応してウエブ(２４)に塗布される
(ｂ) 加熱部材(６１，６２)が、ウエブ(２４)から切断されたブランク面の接着剤を活性化するために、前記接着剤ステーションの下流側、すなわち、完成したまたは半完成のパック(１０)を付随的に折り曲げおよび/または移送する区域に設けられる
(ｃ) 接着ユニット(４１)は、その接着剤塗布手段として、スロットノズル(４３、４４，４５)を備える塗布ヘッド(４２)を有する
(ｄ)ウエブ(２４)は、前記塗布ヘッド(４２)に引き続く走行部(５５)において、前記塗布ヘッド(４２)から離間して走行する
(ｅ)ウエブ(２４)は、前記走行部(５５)において、間歇的に接着剤を付与する目的で、塗布ヘッドに向かって一時的に押圧される
(ｆ)接着ヘッド(４２)に向き合う位置に配置された加圧部材(４９)は、ウエブ(２４)を塗布ヘッドと接するまで前記塗布ヘッドに向かって転向させる
【請求項２】
ウエブ(２４)は、移送運動中に滑動する態様で前記塗布ヘッドと向き合って接触して接着剤がウエブ(２４)に塗布され、
前記塗布ヘッド(４２)は、ウエブ(２４)と向き合う側に、ウエブ(２４)と接触するための突出部、すなわち、互いに角度をなして設けられた２つの突出接触面(４６，４７)を備えるように設計される点を特徴とする請求項１に記載の装置。
【請求項３】
スロットノズル(４３，４４，４５)は、接着剤ストリップ(３７)または接着剤パッチ(３８，３９)の大きさがスロットノズル(４３，４４，４５)が開いた状態の持続時間によって決定されるように、前記ノズルの開閉状態に関して制御を行うことが可能である点を特徴とする請求項１または２に記載の装置。
【請求項４】
加圧部材(４９)は、スロットノズル(４３，４４，４５)の区域に凹部(５１)を持つ押圧ヘッド(５０)を備える点、および、
ウエブ(２４)は、接着ユニット(４１)の区域において、転向ローラー(５３，５４)によって、塗布ヘッド(４２)から一定の距離を隔てて走行する必須の直立方向走行部(５５)を形成している点を特徴とする請求項１または２に記載の装置。
【発明の詳細な説明】
【０００１】
【発明の属する技術分野】
この発明は、特に、複数個の紙巻き煙草の小包装体を束ねたパックを製造するための、紙などの折り曲げることが可能な包装材で構成される外部包装部材を備えるパックを製造する方法に関しており、前記パックは、前記外部包装部材の互いに重なり合って接着された折り目と閉鎖タブを有し、包装機においては、前記外部包装部材のブランクが、特に、包装材の連続ウエブから切断された後に、包装機の折り曲げユニットによってパックの内容物の周りに折り曲げられる。この発明はさらに、前記の方法を実施する装置にも関する。
【０００２】
【従来の技術】
特に、紙などの薄い包装材で構成される包装部材を備えるパックを製造することは、もし、折り目や閉鎖タブが、互いに、またはパックの壁部に接着されたりする場合には、問題が発生する。常温で固化する接着剤が、ノズルを介して、接着の対象である包装部材の区域に塗布される接着ユニットは、通常は、包装機に組み込まれている。オペレーションを休止する間は、前記接着ユニットが取り外されて交換されなければならない。（常温で固化する接着剤を使用する）接着ユニットを直接、折り曲げメカニズムの感受性の強い区域に使用することは、全体的に、成功していない。
【０００３】
ホットメルト型の接着剤、すなわち、高温になると活性化して接着性を発揮する接着剤も知られているところである。
【０００４】
【発明が解決しようとする課題】
この発明は、外部包装部材またはそのタブを折り曲げた後に、これらを、常温で固化する接着剤を使用する場合に従来普通に存在した不利益を伴うことなく接着する手段を提供することを目的とする。
【０００５】
【課題を解決するための手段】
この目的を達成するために、この発明の装置は、下記の(ａ)(ｂ)(ｃ)(ｄ)(ｅ)(ｆ)を特徴とする。
(ａ) ホットメルト型接着剤は、接着ステーションの接着ユニットにおいて、前記折り曲げタブと閉鎖用タブの接着サイトに対応してウエブに塗布される、
(ｂ) 加熱部材が、ウエブから切断されたブランク面の接着剤を活性化するために、前記接着剤ステーションの下流側、すなわち、完成したまたは半完成のパックを付随的に折り曲げおよび/または移送する区域に設けられる、
(ｃ) 接着ユニットは、その接着剤塗布手段として、スロットノズルを備える塗布ヘッドを有する、
(ｄ)ウエブは、前記塗布ヘッドに引き続く走行部において、前記塗布ヘッドから離間して走行する、
(ｅ)ウエブは、前記走行部において、間歇的に接着剤を付与する目的で、塗布ヘッドに向かって一時的に押圧される、
(ｆ)接着ヘッドに向き合う位置に配置された加圧部材は、ウエブを塗布ヘッドと接するまで前記塗布ヘッドに向かって転向させる、
【００１１】
したがって、この発明の場合は、リールの形態をなして巻かれている包装材料ウエブが、（ホットメルト）接着剤をどこにも塗布されない状態のままで包装機に利用することができる。接着剤、正確にいえば、上記のホットメルト型の接着剤は、ウエブがリールから包装機の該当区域に引き出されたときに、ウエブに塗布される。この装置においては、接着剤のパターンが、パックに好ましい態様で、すなわち、包装部材用のブランクまたは完成時のパックに必要な接着剤パターンにしたがって、ウエブに塗布される。これらの接着剤パターンは、後の工程で硬化する。すなわち、初期段階では不活性である。ブランクは次に正確な位置で材料ウエブから切断される。この場合は、包装部材用のブランクは、（不活性な）ホットメルト型接着剤を塗布されている。その後、ブランクは、包装対象である物品の周りに従来の態様で折り曲げられる。この段階では、塗布された不活性接着剤は、何の問題も生じない。前記の塗布された接着剤は、前記の折り曲げ動作中または、それが完了してから加熱を施すことによって活性化する。塗布接着剤を保有する折り曲げタブまたは閉鎖タブは、次いで互いに押圧されて接着される。
【００１２】
この発明の別の提案によれば、接着剤は、包装材のウエブが固定接着ユニットに対して移動する過程内の正確な位置でウエブに塗布される。これを正確にいえば、開口時間を制御でき、それによって接着剤パターンの大きさを決定できる接着剤ノズルによって接着剤を塗布することが好ましい。複数個の紙巻き煙草の小包装体を束ねたパックまたはこれと同様なパック用の包装部材の場合は、接着剤パターンが、制御可能なスロットノズルによってウエブに塗布される。このスロットノズルは、ウエブの移送方向を横断する向きに突出している。
【００１３】
この発明のさらに別の特徴は、方法の実行順序と装置の構造に関する。方法については、添付図面に示す装置の模範実施例を参照しつつ、以下に説明する。
【００１４】
【発明の実施の形態】
添付図面を参照すれば、図１、２は、パック１０の一例の細部を示す。前記のパックは、複数個の紙巻き煙草の小包装体１１をグループに束ねたパックである。前記紙巻き煙草の小包装体１１は、工程中ではブロックを形成して２列をなして配列しており、そのグループは包装部材１２に包まれている。この包装部材１２は、特に、紙または紙状の比較的薄い包装材で構成されている。このように設計されるパックは往々にして「紙巻き煙草カートン・スティック」と呼ばれる。
【００１５】
包装部材１２は、紙巻き煙草の小包装体１１のグループの全面を包んでおり、大面積を有する前部壁１３と、これに対応して反対側にある後部壁１４と、前記前部壁１３と後部壁１４を連結する側部壁１５と、境界側の側部壁１６と、折り曲げによって形成される端部壁１７、１８とを形成している。側部壁１６は、包装部材１２（図２）のブランクの境界に位置する。閉じたパックを形成するために、前記側壁１６は、側部壁１６とは反対側に位置する包装部材１２のブランクの側、すなわち、後部壁１４と隣り合って形成された接続ストリップ１９と接続される。接続ストリップ１９と側部壁１６の区域の一部とが互いに重なり合って互いに接着される。現模範実施例では、接続ストリップ１９が内側になる。すなわち接続ストリップ１９は、側壁１６の真下に来る。
【００１６】
端部壁１７、１８もまた、図２に示すブランクの折り曲げ部によって形成される。現実施例では、「封筒型の折り曲げ構造」が使用され、三角形または台形の折り曲げタブ２０、２１が形成される。これらの折り曲げタブは、一部が重なり合い（図１参照）やはり互いに接着される。
【００１７】
さらには、ブランクまたは包装部材１２は、全周囲に亘って延在する開口用引っ張りストリップ２２を備えており、前記ストリップ２２は、側部壁１６の境界部において専用の把持フラップを形成する。
【００１８】
包装部材１２用のブランクは、包装材（紙など）のウエブ２４（図３、４、５）から切断される。ウエブ２４は、時々交換を行わなければならない１つの集合リール２５から引き出される。
【００１９】
図３は、パック１０の製造に好適な包装機の模範実施例を示す。前記包装機の細部は、EP 0,137,334/US 4,711,065 号に図示と説明がなされている。この装置は、包装部材１２を形成するための異なる材料を処理することを意図している。前記の包装機は、一方においては、ウエブ形態の包装材、正確には紙または（プラスチック）フィルムを選択的に処理することが可能である。しかしながら、他方においては、薄いカードボードからなるブランク２６を処理するために、前記の装置を使用することも可能である。この選択例の場合は、他所で製造されたブランクが積層されてマガジン２７に導入され、このマガジンから次々に取り出される。形成された小包装体のグループ２９は、折り曲げユニット２８の区域でブランク２６内に包装される。ここでも折り曲げタブまたは包装部材の壁が互いに接着される。こうして完成したパックは、もし所望ならば、フィルムで構成された外部包装部材内にさらに包装される。
【００２０】
ここで、最も重要な選択例は、紙または紙状の材料を処理することである。この材料はウエブ２４の形態で別の包装ユニット、すなわち折り曲げタレット３０に供給される。ウエブ２４は、部分毎に、すなわちサイクリックにリール２５から引き出される。開口ストリップ２２は、ストリップユニット３１の区域でウエブ２４に添設される。材料ウエブ２４は次に、切断ステーション３２を通過する。この切断ステーションは切断ローラー３３を有する。切断ローラー３３の区域においては、包装部材１２用のブランクは、ウエブ２４から切断され、直接に隣り合う折り曲げタレット３０に正確な位置で移送される。
【００２１】
包装部材１２のブランクは、周期的に回転する折り曲げタレット３０の区域において、紙巻き煙草の小包装体１１のグループ２９の周りに折り曲げられる。現模範実施例においては、小包装体１１のグループ２９が、包装部材を伴わない状態で折り曲げユニット２８を経て折り曲げタレット２９へ供給される。小包装体１１のグループ２９は包装部材１２のブランクと一緒に、折り曲げタレット３０のポケット３４内に押し込まれる。折り曲げタレット３０がさらに回転すると、包装部材１２が折り曲げられて、半完成状態のパック１０が、折り曲げタレット３０から釈放ステ−ションの区域に押し出される。端部壁１７、１８は隣り合う直線状のパック通路の区域で折り曲げられ、この工程中で折り曲げタブ２０、２１が形成される。最後の折り曲げ過程すなわち、端部壁１７、１８の区域における外側の折り曲げタブ２１の折り曲げは、パックタワー３６の区域、すなわち、パック１０の直立移送部で発生する。
【００２２】
包装部材１２は、選択された区域に付与される接着剤によって閉じられる位置に支持される。現行模範実施例では、側部壁１６を接続ストリップ１９と接続するために、細長い接着ストリップ３７が付与される。接着剤ストリップ３７は、側部壁１６の境界にそって、その全長に亘って延在している。接着剤ストリップ３７は、端部壁１７、１８の折り曲げタブの区域で終わる。接着剤ストリップ３７は、包装部材１２の内側に付与される。
【００２３】
端部壁１７、１８の区域には、別の接着剤パッチ３８、３９が配置される。これらの長方形の接着剤パッチ３８、３９は、同様にストリップの形態をなして三角形または台形の折り曲げタブ２１の区域に延在する。接着剤パッチ３８、３９は、折り曲げタブ２１が内側の折り曲げタブ２０と重なる区域に配置される。
【００２４】
接着剤ストリップ３７と接着剤パッチ３８、３９用の接着剤は、「ホットメルト型」接着剤という名の示す通り、加熱によって活性化する。接着剤付与の特徴は下記のような諸点にある。すなわち、この接着剤は、包装機の区域で包装部材のウエブ２４またはブランクに付与され、折り曲げ過程に先立つ包装機の区域で硬化する。前記の付与、硬化区域は、有利にも切断ステーション３２の上流側にあるので、付与された前記の接着剤パターンが包装機の構成部品によって悪影響を受けることもなく、また、接着剤の残滓が包装機の構成部品に付着することもない。前記接着剤パターンは、折り曲げが完了した後、または包装という観点から見て最善のタイミングで、加熱によって活性化される。さらには、相互接続の対象であるこれらの折り曲げタブや壁部を接続するために圧力が加えられる。
【００２５】
図３に示される包装機または装置は、特別な接着剤ステーション４０を具備する。前記接着剤ステーションは、切断ステーション３２の上流側に充分な移送距離を隔ててストリップユニット３１と隣り合うように配置される。接着剤パターン、すなわち、接着剤ストリップ３７および接着剤パッチ３８、３９は、切断ステーション３２において製造されるブランクが正しい位置に施される局所的接着剤を有するように、接着剤ステーション４０においてウエブ２４に付与される。
【００２６】
接着剤ステーション４０は、接着剤ユニット４１からなる。今の場合、接着剤ユニット４１は、接着剤パターン全体のうちの接着剤の局所的付与が同時に行われるように設計される。
【００２７】
接着剤ユニット４１は、塗布ヘッド４２で構成される。塗布ヘッド４２は接着剤塗布部材である。活性化されたすなわち加熱された、しかしいずれにせよ、自由流動性を備える接着剤が、塗布ヘッド４２によってウエブ２４に転写される。この目的で、塗布ヘッド４２は接着剤ノズル、今の場合はスロットノズル４３、４４、４５を備えている。接着剤の局所的な付与は、それぞれ、別々のノズルまたはスロットノズルが分担する。すなわち、接着剤ストリップ３７は、細長いスロットノズル４４が分担し、接着剤パッチ３８、３９は、短いスロットノズル４３、４５がそれぞれ分担する。ウエブ横断方向の共通平面内に位置するスロットノズル４３…４５の相対位置は、ウエブ２４上の接着剤の局所的相対位置と一致する。接着剤の局所配置、すなわち、接着剤ストリップ３７、接着剤パッチ３８、３９は、ウエブ横断方向面内で互いに距離を隔てて設けられている。したがって、スロットノズル４３、４４、４５は、塗布ヘッド４２の横断方向に互いに距離を隔てて設けられている。
【００２８】
接着剤は、ウエブ２４がその長手方向すなわち移送方向に移動する過程でウエブに付与される。それぞれのスロットノズル４３、４４、４５は、ウエブ２４の予め決められた移送速度との関係で、ウエブ２４の移送方向に、関連する接着剤が所望通りに局所に付与されるように、その大きさが決められる。このことは、ウエブ２４の移送方向における接着剤ストリップの幅が小さいために、スロットノズル４４が、ほんの少時間だけ開けばよいことを意味しており、これに対して、スロットノズル４３、４５は、ウエブ２４が移送方向に移送される間に、もっと長い時間に亘って開いている。
【００２９】
ウエブ２４は、局所的接着剤を転写するために、スロットノズル４３…４５の区域にある接着剤ユニット４１または塗布ヘッド４２に押しつけられる。ウエブ２４は、一定の圧力の下で、塗布ヘッド４２の外形にしたがって接着剤ユニット４１と接触する。塗布ヘッド４２は、ウエブ２４のための突出接触面、今の場合は互いに対して角度をなして設けられた２つの突出接触面４６、４７を形成している。スロットノズル４３…４５は、突出接触面４６、４７の偏向区域、すなわち（丸みを帯びた）突出端部４８の区域に設けられる。ウエブ２４は、滑動またはスリップ動作をなして接着剤ノズルまたはスロットノズル４３…４５を越えて移動し接着剤を付与される。この装置においては、接着剤ノズルが開いている時間内だけウエブ２４に接着剤が塗布される。
【００３０】
現実施例では、ウエブ２４は、加圧部材４９によって塗布ヘッド４２に押圧される。加圧部材４９は、回動腕を中心に回動する板状の押圧ヘッド５０からなる。この押圧ヘッド５０は、スロットノズル４３…４５のある区域に凹部５１を備えているので、ウエブ２４は、スロットノズル４３…４５の上下両側で接触面４６、４７に押圧される。板状の押圧ヘッド５０の一方の脚部５２があるために、ウエブ２４を塗布ヘッド４２または前記ヘッドの下側突出面４７に、正確にいえば、前記下側突出面４７が接着剤を転写する間に限って押圧する。
【００３１】
接着サイクルが完了した後、加圧部材４９または押圧ヘッド５０は引っ込められる。ウエブ２４は上下の両転向ローラー５３、５４を周回して案内されるので、ウエブ２４の垂直方向の走行部５５は、自動的に接着ユニット４１から釈放される。この状態は、周期的に前進するウエブ２４が静止段階にあるときに起きる。
【００３２】
接着剤の必要量は、（図示しない）接着剤供給（コンテナー）から接着剤管５６を介して接着ユニット４１または塗布ヘッド４２に供給される。開口持続時間に関する限り、各スロットノズル４３…４５は別々に制御される。電気接続部５７が、スロットノズル４３、４４、４５の開閉運動を制御する機能を果たす。さらに、同様に電動のカートリッジが塗布ヘッド４２内部に組み込まれている。
【００３３】
スロットノズル４３、４４、４５の幅は極端に小さく、すなわち、それらの幅は、例えば、０．１mmから０．２mmの大きさである。開口幅がこのように小さいので、スロットノズル４３、４４、４５が切り換えられた、すなわち閉じられた後は接着剤が連続して流出することがない。
【００３４】
ウエブ２４は、移送方向にある接着剤ステーション４０と隣り合う区域において特別な態様で案内される（図４参照）。ウエブ２４は、既に硬化した接着剤を保持しており、調節可能な転向ローラー、すなわち、調節ローラー５８を周回して案内される。調節ローラー５８の相対位置は、製造対象であるパックの異なるフォーマットに適応できるように、ウエブ２４の異なる移送区分に応じて（手動で）順に調節される。調節ローラー５８は、この目的で、斜めの方向を向くスロット５９内で調節され、固定されるように取り付けられる。
【００３５】
現模範実施例では、局所接着剤は先ず、折り曲げタレット３０の区域で活性化され、その後で、加熱によって活性化される。包装部材１２の「可撓性折り曲げ部」を固着するための接着剤ストリップ３７は加熱され、ポケット３４に隣接する折り曲げタレット３０の円周面上に配設された加熱部材すなわち加熱カートリッジ６０によって活性化される。折り曲げタレット３０の円周面と向かい合うように載置される包装部材１２のブランクは、接着剤ストリップ３７とともに、加熱カートリッジ６０の区域に配置される。接着剤ストリップ３７が活性化された後、加圧力作用部材６１が、ブランクの側部壁１６を、前もって折り曲げ済みである接続ストリップ１９に押しつけ、接着による接続部を形成する。
【００３６】
端部壁１７、１８の折り曲げ部のための接着剤パッチ３８、３９は、折り曲げタレットを離れた後で、すなわち、パックの通路３５またはパックタワー３６の区域で、先ず、活性化される。パックタワー３６は、パック通路３５の上方に、正確にいえば、パックの向かい合う両側と接するように、別の加熱カートリッジを具備する。パック１０は、パック通路３５から、持ち上げ手段６３によって次々に持ち上げられ、パックタワー３６へと上方に押送される。この装置においては、パック１０の相対位置との関係で、折り曲げタブ２１が、パックの外側に配置されており、端部壁１７、１８の外側に折り曲げられる。折り曲げタブ２１は、工程中において折り曲げタブ２０と重ねられて押圧される。活性化された接着剤パッチ３８、３９は、接着による接続部となる。
【００３７】
この装置は、また、折り曲げタブを備えていなくともよいフィルム等の融着に使用することができる。フィルム材を処理する場合は、接着剤ユニット４１は作動しない。しかしながら、接着剤ユニットを取り外すには及ばない。
【００３８】
ブランク、例えばブランク２９は、これまでに説明したものと同じ構造を有する接着剤ユニットを用いて、同様な態様で接着を行うことができる。
【００３９】
【発明の効果】
この発明によって、外部包装部材またはそのタブを折り曲げた後に、これらを、常温で固化する接着剤を使用する場合に従来普通に存在した不利益を伴うことなく接着する手段が提供される。
【図面の簡単な説明】
【図１】パックの例、すなわち、複数個の紙巻き煙草の小包装体を束ねたパックの斜視図。
【図２】図１のパックの外部包装部材のブランクの展開図。
【図３】図１のパックを製造する装置の概略的側面図。
【図４】装置の細部すなわち接着ステーションの拡大図。
【図５】図４の細部としての接着ユニットをさらに一層拡大した図。
【図６】（材料ウエブを伴わない）図５の細部の正面図。
【符号の説明】
１０…パック，１２…包装部材，２４…ウエブ，３０…折り曲げタレット，３７…接着剤ストリップ，３８，３９…接着剤パッチ，４１…接着剤ユニット，４２…塗布ヘッド，４３，４４，４５…スロットノズル，４６，４７…突出接触面，４９…加圧部材，５０…押圧ヘッド，５１…凹部，５３、５４…転向ローラー，５５…垂直方向走行部。
【図１】
0003836544.tif 000002
【図２】
0003836544.tif 000003
【図３】
0003836544.tif 000004
【図４】
0003836544.tif 000005
【図５】
0003836544.tif 000006
【図６】
0003836544.tif 000007